(57)【要約】【課題】炊飯の動作状態を表示する表示手段を有する炊飯器において、炊飯中の詳細な工程や工程時間をリアルタイムに表示手段に表示し、現在の詳細な炊飯状況を容易に確認できるようにする。【解決手段】炊飯の動作状態を表示する表示手段１９と、経過時間を計測する時間計測手段１６とを有し、炊飯メニュー１２を選択するメニュー選択手段１４を有する操作手段１３により選択した炊飯メニューに基づいて、制御手段１１により炊飯動作を制御する。制御手段１１は、炊飯中の工程あるいは工程時間をリアルタイムに表示手段１９に表示する構成とする。【選択図】　図１
2004024646.tif 000002
【特許請求の範囲】
【請求項１】
炊飯の動作状態を表示する表示手段と、炊飯メニューを選択するメニュー選択手段を有する操作手段と、経過時間を計測する時間計測手段と、前記操作手段により選択した炊飯メニューに基づいて炊飯動作を制御する制御手段とを備え、前記制御手段は、炊飯中の工程あるいは工程時間をリアルタイムに前記表示手段に表示する構成とした炊飯器。
【請求項２】
鍋温度または内蓋温度を検知する温度検知手段を備え、制御手段は、炊飯中の前記温度検知手段により検知した温度をリアルタイムに表示手段に表示する構成とした請求項１記載の炊飯器。
【請求項３】
表示手段に表示する内容を選択する表示選択手段を備え、炊飯中に表示手段に表示する内容を前記表示選択手段により選択する構成とした請求項１または２記載の炊飯器。
【請求項４】
表示手段の表示を切り換える表示切換手段を備え、炊飯中に表示手段に表示させる必要がないときには、前記表示切換手段により表示させない構成とした請求項１〜３のいずれか１項に記載の炊飯器。
【請求項５】
炊飯内容を記憶する記憶手段を備え、炊飯中の各工程時間、あるいは各工程における最高温度または最低温度を前記記憶手段に記憶する構成とした請求項１〜４のいずれか１項に記載の炊飯器。
【発明の詳細な説明】
【０００１】
【発明の属する技術分野】
本発明は、炊飯の動作状態を表示する表示手段を有する炊飯器に関するものである。
【０００２】
【従来の技術】
従来、この種の炊飯器は図７に示すように構成していた。以下、その構成について説明する。
【０００３】
図７に示すように、制御手段１はマイクロコンピュータを有し、マイクロコンピュータ内の読み出し専用メモリ（ＲＯＭ）に複数の炊飯メニュー２を有している。操作手段３は、炊飯メニュー２の内の１つを選択するメニュー選択手段４と、選択した炊飯メニューで炊飯を開始させる開始スイッチ５とを有し、制御手段１に入力している。時間計測手段６は経過時間を計測するもので、計測結果を制御手段１に入力している。表示手段９は炊飯の動作状態を表示するもので、液晶や発光ダイオードなどで構成し、その表示内容は炊飯中のメニューや現在時刻、大くくりにされた工程などを表示している。
【０００４】
図８は、表示手段９への表示内容の一例を示しており、図８に示すように、大くくりにされた工程Ｍから工程Ｐと、現在時刻などが表示されている。
【０００５】
制御手段１は、メニュー選択手段４により選択された炊飯メニューに基づいて、加熱手段７を制御して鍋８を加熱し、炊飯動作を制御するよう構成している。
【０００６】
上記構成において動作を説明する。炊飯を開始するとき、まず、鍋８内に投入した調理物に応じて、複数の炊飯メニュー２の内の１つの炊飯メニューを選択し、開始スイッチ５により炊飯を開始し、メニュー選択手段４により選択された炊飯メニューに基づいて、加熱手段７を制御して鍋８を加熱し、炊飯する。
【０００７】
【発明が解決しようとする課題】
このような従来の炊飯器では、現在、炊飯中の工程や、その工程の経過時間を大まかな表示しかしておらず、詳細な炊飯内容を知ることが困難であった。
【０００８】
本発明は上記課題を解決するもので、炊飯中の詳細な工程や工程時間をリアルタイムに表示手段に表示し、現在の詳細な炊飯状況を容易に確認できるようにすることを目的としている。
【０００９】
【課題を解決するための手段】
本発明は上記目的を達成するために、炊飯の動作状態を表示する表示手段と、経過時間を計測する時間計測手段とを有し、炊飯メニューを選択するメニュー選択手段を有する操作手段により選択した炊飯メニューに基づいて、制御手段により炊飯動作を制御するよう構成し、制御手段は、炊飯中の工程あるいは工程時間をリアルタイムに表示手段に表示する構成としたものである。
【００１０】
これにより、炊飯中の詳細な工程や工程時間をリアルタイムに表示手段に表示でき、現在の詳細な炊飯状況を容易に確認することができる。
【００１１】
【発明の実施の形態】
本発明の請求項１に記載の発明は、炊飯の動作状態を表示する表示手段と、炊飯メニューを選択するメニュー選択手段を有する操作手段と、経過時間を計測する時間計測手段と、前記操作手段により選択した炊飯メニューに基づいて炊飯動作を制御する制御手段とを備え、前記制御手段は、炊飯中の工程あるいは工程時間をリアルタイムに前記表示手段に表示する構成としたものであり、炊飯中の詳細な工程や工程時間をリアルタイムに表示手段に表示でき、現在の詳細な炊飯状況を容易に確認することができる。
【００１２】
請求項２に記載の発明は、上記請求項１に記載の発明において、鍋温度または内蓋温度を検知する温度検知手段を備え、制御手段は、炊飯中の前記温度検知手段により検知した温度をリアルタイムに表示手段に表示する構成としたものであり、炊飯中の温度検知手段による検知結果である温度をリアルタイムに表示手段に表示することで、炊飯状況を一目見てさらに詳細に知ることができる。
【００１３】
請求項３に記載の発明は、上記請求項１または２に記載の発明において、表示手段に表示する内容を選択する表示選択手段を備え、炊飯中に表示手段に表示する内容を前記表示選択手段により選択する構成としたものであり、炊飯中に表示手段に表示する内容を表示選択手段により選択することで、表示選択手段により必要な情報だけを選択し、表示手段でリアルタイムに確認することができる。
【００１４】
請求項４に記載の発明は、上記請求項１〜３に記載の発明において、表示手段の表示を切り換える表示切換手段を備え、炊飯中に表示手段に表示させる必要がないときには、前記表示切換手段により表示させない構成としたものであり、表示選択手段による選択結果などで、炊飯中に表示手段に表示させる必要がないときには、表示切換手段により表示させないことで、不必要な表示を消すことができ、表示する必要のないときや他の人に表示内容を見せたくないときには表示しないようにできる。
【００１５】
請求項５に記載の発明は、上記請求項１〜４に記載の発明において、炊飯内容を記憶する記憶手段を備え、炊飯中の各工程時間、あるいは各工程における最高温度または最低温度を前記記憶手段に記憶する構成としたものであり、記憶手段の記憶内容を参照することで、炊飯内容を詳細に把握することができる。
【００１６】
【実施例】
以下、本発明の実施例について、図面を参照しながら説明する。
【００１７】
（実施例１）
図１に示すように、制御手段１１は、マイクロコンピュータを有し、マイクロコンピュータ内の読み出し専用メモリ（ＲＯＭ）に複数の炊飯メニュー１２を有している。操作手段１３は、炊飯メニュー１２の内の１つを選択するメニュー選択手段１４と、選択した炊飯メニューで炊飯を開始させる開始スイッチ１５とを有し、制御手段１１に入力している。時間計測手段１６は経過時間を計測するもので、計測結果を制御手段１１に入力している。
【００１８】
制御手段１１は、メニュー選択手段１４により選択された炊飯メニューに基づいて、加熱手段１７を制御して鍋１８を加熱し、炊飯するよう構成している。ここで、加熱手段１７は、鍋１８を加熱する加熱ヒータでもよく、また、鍋１８を誘導加熱する加熱コイルであってもよい。
【００１９】
表示手段１９は炊飯の動作状態を表示するもので、液晶や発光ダイオードなどで構成し、炊飯中の詳細な工程を表示する工程表示部２０、工程時間を表示する工程時間表示部２１などを有している。図２は、表示手段１９の表示内容の一例を示す。図２に示すように、従来例のような大くくりにされた工程表示ではなく、工程Ａから工程Ｌまでの詳細な工程を工程表示部２０により表示し、工程時間表示部２１により現工程の経過時間（工程時間）を表示し、他に現在時刻を表示している。
【００２０】
上記構成において動作を説明する。炊飯を開始するとき、まず、鍋１８内に投入した調理物に応じて、複数の炊飯メニュー１２の内の１つの炊飯メニューを選択し、開始スイッチ１５により炊飯を開始する。炊飯開始後、制御手段１１は、従来の大まかな炊飯工程や工程時間の表示ではなく、炊飯中の詳細な工程や工程時間を工程表示部２０、工程時間表示部２１にリアルタイムに表示する。また、表示手段１９は炊飯開始からの経過時間を表示するようにしてもいい。
【００２１】
したがって、使用者は、工程表示部２０と工程時間表示部２１により、詳細な工程と工程時間をリアルタイムで確認することができる。そして、例えば、ご飯がうまく炊けないといった問題が発生した場合には、炊飯量を判定する合数判定工程を通らなかったり、湯炊き工程という通常の炊飯時には通過しない工程を通ったりするので、詳細な工程と工程時間をモニターし、詳細な炊飯内容の解析を行うことで、どの原因によって、ご飯がおいしくないのかを、現場で解析・対策を行うことができる。
【００２２】
その結果、発生した問題に対してすばやい対応・対策が可能となり、それを商品にフィードバックすることで、品質のさらなる向上を実現することができる。
【００２３】
（実施例２）
図３に示すように、温度検知手段２２は、鍋１８の温度または内蓋（図示せず）の温度を検知するもので、その出力を制御手段２３に入力している。制御手段２３は、炊飯中の温度検知手段２２により検知した温度を表示手段２４に設けた温度表示部２５にリアルタイムに表示する構成としている。他の構成は上記実施例１と同じであり、同一符号を付して説明を省略する。
【００２４】
上記構成において動作を説明する。炊飯を開始するとき、まず、鍋１８内に投入した調理物に応じて、複数の炊飯メニュー１２の内の１つの炊飯メニューを選択し、開始スイッチ１５により炊飯を開始する。炊飯開始後、制御手段２３は、炊飯中の詳細な工程やその工程時間を工程表示部２０と工程時間表示部２１に表示するのに加えて、温度検知手段２２による検知結果、すなわち、温度を温度表示部２５にリアルタイムに表示する。
【００２５】
したがって、使用者は、炊飯中の詳細な工程やその工程時間に加えて、温度を表示手段２４により容易に確認することができ、炊飯状況を一目見てさらに詳細に知ることができる。その結果、問題発生時のさらなる詳細な解析をモニターしながら、現場で行うことができ、いち早くその原因対策等を実施することができ、ひいては、品質のさらなる向上を実現することができる。
【００２６】
（実施例３）
図４に示すように、表示選択手段２６は、表示手段２４に表示する内容を選択するもので、その出力を制御手段２７に入力し、炊飯中に表示手段２４に表示する内容を表示選択手段２６により選択する構成としている。他の構成は上記実施例２と同じであり、同一符号を付して説明を省略する。
【００２７】
上記構成において動作を説明する。炊飯を開始するとき、工程、工程時間、温度を表示する工程表示部２０、工程時間表示部２１、温度表示部２５の内、表示手段２４に表示する内容を表示選択手段２６により選択して、開始スイッチ１５により炊飯を開始する。炊飯開始後、制御手段２７は、表示選択手段２６による選択結果を表示手段２４にリアルタイムに表示する。
【００２８】
したがって、使用者は、必要な情報だけを表示選択手段２６により選択し、表示手段２４でリアルタイムに確認することができる。その結果、表示手段２４には必要な情報のみをわかりやすく表示することができ、表示内容が多すぎて見にくく、誤って読み取るといったことを防ぐことができ、より精度の高い、モニタリングを実現することができる。
【００２９】
（実施例４）
図５に示すように、表示切換手段２８は、表示手段１９の表示のオンオフを切り換えるもので、制御手段２９に入力し、炊飯中に表示手段１９に表示させる必要がないときには、表示切換手段２８により表示させない構成としている。他の構成は上記実施例１と同じであり、同一符号を付して説明を省略する。
【００３０】
上記構成において動作を説明する。制御手段２９は、表示切換手段２８により、炊飯中の表示手段１９に表示されている工程表示部２０、工程時間表示部２１、温度表示部２５の表示のオンオフを切換えることができる。また、表示切換手段２８は炊飯開始前に有効であるが、炊飯開始後においても有効である。
【００３１】
したがって、使用者は、表示切換手段２８により不必要な表示を消すことができ、表示する必要のないときや他の人に表示内容を見せたくないときには、非常に有効である。また、表示切換手段２８は炊飯中にも有効であるので、炊飯途中で表示を切換えることができ、見せたい情報だけを見せるといったこともできる。
【００３２】
（実施例５）
図６に示すように、記憶手段３０は、制御手段３１により炊飯内容を記憶するもので、炊飯中の各工程時間、あるいは各工程における最高温度または最低温度を記憶手段３０に記憶する構成としている。他の構成は上記実施例１と同じであり、同一符号を付して説明を省略する。
【００３３】
上記構成において動作を説明する。記憶手段３０は、制御手段３１により炊飯中の各工程時間、あるいは各工程における最高温度または最低温度を記憶するとともに、記憶手段３０に記憶された内容を参照することができる。
【００３４】
使用者は、記憶手段３０の記憶内容を参照することで、炊飯内容を詳細に把握することができ、炊飯器がいわば温度記録計の役目を果たすことができる。つまり、炊飯器１台あれば動作状態の解析から記録を詳細に実施でき、計測器付きの炊飯器として使用することができる。したがって、計測器の追加なしで、問段発生時の解析用ツールとして活用することができる。
【００３５】
【発明の効果】
以上のように本発明の請求項１に記載の発明によれば、炊飯の動作状態を表示する表示手段と、炊飯メニューを選択するメニュー選択手段を有する操作手段と、経過時間を計測する時間計測手段と、前記操作手段により選択した炊飯メニューに基づいて炊飯動作を制御する制御手段とを備え、前記制御手段は、炊飯中の工程あるいは工程時間をリアルタイムに前記表示手段に表示する構成としたから、炊飯中の詳細な工程や、その工程の経過時間を表示手段により容易に確認することができ、詳細な炊飯経過を一目見て知ることができる。
【００３６】
また、請求項２に記載の発明によれば、鍋温度または内蓋温度を検知する温度検知手段を備え、制御手段は、炊飯中の前記温度検知手段により検知した温度をリアルタイムに表示手段に表示する構成としたから、炊飯中の工程やその工程の経過時間に加えて、温度を表示手段により容易に確認することができ、さらに詳細な炊飯状況を一目見て知ることができる。
【００３７】
また、請求項３に記載の発明によれば、表示手段に表示する内容を選択する表示選択手段を備え、炊飯中に表示手段に表示する内容を前記表示選択手段により選択する構成としたから、表示手段に必要な情報のみをわかりやすく表示することができる。
【００３８】
また、請求項４に記載の発明によれば、表示手段の表示を切り換える表示切換手段を備え、炊飯中に表示手段に表示させる必要がないときには、前記表示切換手段により表示させない構成としたから、炊飯中に表示手段に表示させる必要がないときには、表示切換手段により表示させないことで、不必要な表示を消すことができ、表示する必要のないときや他の人に表示内容を見せたくないときには表示しないようにできる。
【００３９】
また、請求項５に記載の発明によれば、炊飯内容を記憶する記憶手段を備え、炊飯中の各工程時間、あるいは各工程における最高温度または最低温度を前記記憶手段に記憶する構成としたから、記憶手段の記憶内容を参照することで、炊飯内容を詳細に把握することができる。
【図面の簡単な説明】
【図１】本発明の第１の実施例の炊飯器のブロック図
【図２】同炊飯器の表示手段での表示内容の一例を示す図
【図３】本発明の第２の実施例の炊飯器のブロック図
【図４】本発明の第３の実施例の炊飯器のブロック図
【図５】本発明の第４の実施例の炊飯器のブロック図
【図６】本発明の第５の実施例の炊飯器のブロック図
【図７】従来の炊飯器のブロック図
【図８】同炊飯器の表示手段での表示内容の一例を示す図
【符号の説明】
１１　制御手段
１２　炊飯メニュー
１３　操作手段
１４　メニュー選択手段
１６　時間計測手段
１９　表示手段
【図１】
2004024646.tif 000003
【図２】
2004024646.tif 000004
【図３】
2004024646.tif 000005
【図４】
2004024646.tif 000006
【図５】
2004024646.tif 000007
【図６】
2004024646.tif 000008
【図７】
2004024646.tif 000009
【図８】
2004024646.tif 000010